(57)【要約】【課題】蓄積条件に基づいて選択した番組を効率よく蓄積し、かつ視聴条件に基づいて現在放送中あるいは過去に蓄積した番組の中から最適な番組を選択する選局装置およびテレビ受信システムを提供すること。【解決手段】視聴者が蓄積しておきたい番組の条件を設定すると番組検索手段１０５がその条件に基づき電子プログラム・ガイドから検索し、特定のジャンルや特定のタイトルの番組であれば番組記録手段１０６の更新領域１１３に上書き記録し、それ以外の番組であれば追記領域１１４に蓄積し、視聴者が今現在視聴したい番組の条件を設定すると、番組検索手段１０５がそれに適合する番組が放送されている場合は、選局手段１０２に選局を指示し、放送されていない場合は蓄積した番組１０７から選択するので効率よく最新の番組を記録することができ、かつ過去から現在に至る番組の中から最適な番組を選択することができる。【選択図】　図１
2004096530.tif 000002
【特許請求の範囲】
【請求項１】
番組を選局する選局手段と、
前記選局手段が受信した番組を記録する番組記録手段と、
電子プログラム・ガイドと前記番組記録手段に蓄積した番組とのいずれかから指定した条件に適合する番組を検索する番組検索手段とを備え、
前記番組検索手段が蓄積条件に基づき電子プログラム・ガイドから検索した番組を番組記録手段に蓄積し、
かつ前記番組検索手段が視聴条件に適合する番組が放送されている場合は、選局手段に選局を指示し、放送されていない場合は前記蓄積した番組から選択する選局装置。
【請求項２】
前記番組記録手段が最新の番組を以前の番組に上書きする更新領域と、未記録領域に順次追記する追記領域とを備えた請求項１に記載の選局装置。
【請求項３】
前記更新領域には特定のジャンルおよび特定のタイトルのいずれかの番組のみ記録する請求項２に記載の選局装置。
【請求項４】
前記特定のジャンル及び特定のタイトルでない最新の番組を前記追記領域に記録するときに、前記未記録領域がない場合には前記追記領域の最も以前に記録された番組に上書きする請求項３に記載の選局装置。
【請求項５】
蓄積期間の指定を行う期間指定手段を更に有し、前記追記領域の前記蓄積期間を越えた番組を自動的に消去する請求項３または請求項４に記載の選局装置。
【請求項６】
視聴者が前記選局以外のチャンネルを選択するチャンネル選択手段と、
前記チャンネル選択手段により選択されたか否かの嗜好情報を番組と関連づけて蓄積する嗜好蓄積手段とを更に有し、
前記番組検索手段が視聴条件に基づいて検索した番組の中から選択する優先順位を、前記嗜好情報により決定する請求項１乃至請求項５のいずれかに記載の選局装置。
【請求項７】
音声を認識して話者の特定と前記視聴条件の指示と前記チャンネルの選択とを行う音声認識手段を更に有し、
前記嗜好蓄積手段が前記嗜好情報の蓄積を視聴者毎に行い、かつ
前記番組検索手段が前記視聴者毎の嗜好情報により視聴条件に基づく番組検索を行う請求項６に記載の選局装置。
【請求項８】
前記視聴条件は、操作パネル上のジャンル毎に設けられた選択ボタンにより設定される請求項１乃至請求項６のいずれかに記載の選局装置。
【請求項９】
請求項１乃至８のいずれかに記載の選局装置で選択された番組を提示するテレビ受信システム。
【発明の詳細な説明】
【０００１】
【発明の属する技術分野】
本発明は、デジタル放送の電子プログラム・ガイド（以下「ＥＰＧ」という。）による番組選択機能と番組の蓄積機能を備えた選局装置およびテレビ受信システムに関する。
【０００２】
【従来の技術】
従来、この選局装置およびテレビ受信システムとしては、例えば、特許文献１のようなものがあった。図１８は、特許文献１に記載された従来の情報提供装置のブロック図を示す。
【０００３】
図１８において、従来の情報提供装置は、アンテナ１８１１から放送を受信する放送受信手段１８１０と、放送受信動作を制御する放送系制御手段１８０９と、情報をハードディスク１８０４やＤＶＤ−ＲＡＭ１８０５といった記憶媒体に蓄積する蓄積手段１８０６と、蓄積手段１８０６の情報蓄積を制御する蓄積系制御手段１８０７と、データ通信網１８０１との情報の送受を行う通信手段１８０２と、通信手段１８０２の通信動作を制御する通信系制御手段１８０３と、放送系制御手段１８０９、蓄積系制御手段１８０７および通信系制御手段１８０３を制御する情報入手制御手段１８０８とを備えている。そして、情報の要求に対して情報入手制御手段１８０８が情報の存在場所を判断して放送系、蓄積系、通信系の何れかの制御手段から適切な情報を入手して情報提示手段１８１２に提示するため、情報が放送系、蓄積系、通信系のいずれから得られるかを意識する必要がなくなっていた。
【０００４】
【特許文献１】
特開平１１−２９６５３４号公報（第７−９頁、第１図）
【０００５】
【発明が解決しようとする課題】
しかしながら、このような従来の構成では、蓄積手段１８０６がＥＰＧデータから得られた番組情報に基づいて順次記憶媒体に蓄積されていくため、例えば天気予報のように情報の価値が時間の経過と共に失われていくような番組も他のジャンルの番組と同様に蓄積されたままになってしまい、記憶媒体の容量を効率よく使用することが困難であった。
【０００６】
本発明は、このような従来の課題を解決するものであり、蓄積条件に基づいて選択した番組を効率よく蓄積し、かつ視聴条件に基づいて現在放送中あるいは過去に蓄積した番組の中から最適な番組を選択する機能を有する選局装置およびテレビ受信システムを提供することを目的とする。
【０００７】
【課題を解決するための手段】
上記従来の課題を解決する本発明に係る選局装置は、視聴者が蓄積しておきたい番組の条件（以下「蓄積条件」という。）を設定すると番組検索手段がその条件に基づき電子プログラム・ガイドから検索し、特定のジャンルや特定のタイトルの番組であれば番組記録手段の更新領域に上書き記録し、それ以外の番組であれば追記領域に蓄積する。そして、視聴者が今現在視聴したい番組の条件（以下「視聴条件」という。）を設定すると、番組検索手段がそれに適合する番組が放送されている場合は、選局手段に選局を指示し、放送されていない場合は蓄積した番組から選択する。
【０００８】
これによって、選局装置は記憶領域を消費し続けることなしに効率よく最新の番組を記録することができ、また視聴者からの視聴条件に基づいて、過去から現在に至る番組の中から最も適合する番組を選択することができる。
【０００９】
【発明の実施の形態】
本発明に係る選局装置は、番組を選局する選局手段と前記選局手段が受信した番組を記録する番組記録手段と、電子プログラム・ガイドと番組記録手段に蓄積した番組とのいずれかから指定した条件に適合する番組を検索する番組検索手段とを備え、番組検索手段が蓄積条件に基づき電子プログラム・ガイドから検索した番組を番組記録手段に蓄積し、かつ番組検索手段が視聴条件に適合する番組が放送されている場合は、選局手段に選局を指示し、放送されていない場合は蓄積した番組から選択する。
【００１０】
これによって、選局装置は視聴者から入力された視聴したい番組に関する所定の条件に基づいて、過去から現在に至る番組の中から視聴者が視聴したい番組を選択することができる。
【００１１】
また、本発明に係る選局装置は、番組記録手段が最新の番組を以前の番組に上書きする更新領域と、未記録領域に順次追記する追記領域とを備えている。
【００１２】
これによって、選局装置は特定の番組が追記されずに上書きされるので、記憶領域を消費し続けることなしに最新の番組を記録することができる。
【００１３】
また、本発明に係る選局装置の更新領域には特定のジャンルおよび特定のタイトルのいずれかの番組のみ記録する。
【００１４】
これによって、更新したくない番組は全て記録し、更新しても良い番組は最新番組のみ記録することができる。
【００１５】
また、本発明に係る選局装置は、特定のジャンル及び特定のタイトルでない最新の番組を追記領域に記録するときに、未記録領域がない場合には追記領域の最も以前に記録された番組に上書きする。
【００１６】
これによって、選局装置は全記憶容量が使用されたとしても、継続して最新の番組を蓄積し続けることができる。
【００１７】
また、本発明に係る選局装置は、蓄積期間の指定を行う期間指定手段を更に有し、追記領域の蓄積期間を越えた番組を自動的に消去する。
【００１８】
これによって、選局装置は古くなって価値のなくなった番組を記憶し続けることなく削除できるので、記憶容量を効率的に使用できる。
【００１９】
また、本発明に係る選局装置の視聴条件は、視聴者が選局以外のチャンネルを選択するチャンネル選択手段と、チャンネル選択手段により選択されたか否かの嗜好情報を番組と関連づけて蓄積する嗜好蓄積手段とを更に有し、番組検索手段が視聴条件に基づいて検索した番組の中から選択する優先順位を、嗜好情報により決定する。
【００２０】
これによって、選局装置は視聴者の嗜好を視聴者が意識すること無しに取得し、その取得した嗜好に基づいて最も視聴者が視聴したい番組を自動的に選択することができる。
【００２１】
また、本発明に係る選局装置は音声を認識して話者の特定と視聴条件の指示とチャンネルの選択とを行う音声認識手段を更に有し、嗜好蓄積手段が嗜好情報の蓄積を視聴者毎に行い、かつ番組検索手段が視聴者毎の嗜好情報により視聴条件に基づく番組検索を行う。
【００２２】
これによって、選局装置は視聴者の音声で指示を認識することができると共に、その音声から視聴者を特定することにより視聴者毎の嗜好に適合した番組の選択をすることができる。
【００２３】
また、本発明に係る選局装置の視聴条件は、操作パネル上のジャンル毎に設けられた選択ボタンにより設定される。
【００２４】
これによって、視聴者は簡単な操作で視聴したい番組の条件を指定することができる。
【００２５】
また、本発明に係るテレビ受信システムは、上記した本発明に係る選局装置で選択された番組を提示する。
【００２６】
これによって、視聴者は記憶領域を消費し続けることなしに効率よく最新の番組を記録した選局装置内の番組と現在放送中の番組との中で、設定した視聴条件に最も適合するものを視聴することができる。
【００２７】
以下、本発明を図面と共に詳細に説明する。
【００２８】
（実施の形態１）
図１は本発明の第１の実施の形態による選局装置を備えるテレビ受信システムの構成を示すブロック図である。図１において、テレビ受信システムはアンテナ１１０と、このアンテナ１１０からの放送信号を受信する選局装置１００と、選局装置１００からのビデオ出力を表示するディスプレイ装置１１１と、音声を出力するスピーカー１１２とで構成されている。
【００２９】
そして、この選局装置１００はアンテナ１１０で受信した放送信号を周波数変換しＦＭ復調する周波数ダウンコンバータ１０１と、番組選択処理部１０５から指定されたチャンネル数を選択するチューナー１０２と、チューナー１０２からのベースバンド信号を復号化し誤り訂正した後にビデオ信号ＳＩＧ３と、音声信号ＳＩＧ４とＥＰＧデータ（電子プログラム・ガイド）ＳＩＧ５とに分離する復号化・分離部１０３と、この復号化・分離部１０３で抽出されたＥＰＧデータを蓄積するＥＰＧ記憶装置１０４と、チューナー１０２からの放送信号を蓄積する番組記憶装置１０６と、視聴者からの視聴したいチャンネルの指定や、蓄積しておきたい番組のジャンル等を入力する操作パネル１０８と、この操作パネル１０８からの要求に応じて番組を番組記憶装置１０６に蓄積したり、あるいは要求に適合する番組をチューナー１０２や番組記憶装置１０６から検索する番組選択処理部１０５と、番組記憶装置１０６に蓄積された番組のリストを蓄積する蓄積番組データベース１０７とから構成されている。このうちの番組記憶装置１０６は番組の上書きが可能な更新領域１１３と追記のみが可能な追記領域１１４とから構成されている。本実施の形態においては、番組記憶装置１０６の記憶容量８０ＧＢのうち５ＧＢを更新領域にあてがっている。なお、上記の周波数ダウンコンバータ１０１とチューナー１０２とが選局手段を構成している。
【００３０】
また、復号化・分離部１０３は図２に示すように、チューナー１０２からの出力信号ＳＩＧ１と番組選択処理部１０５からの映像・音声信号ＳＩＧ２とを復号化し、更に誤り訂正処理をする復号化・誤り訂正回路２０１と、この復号化・誤り訂正回路２０１からのＭＰＥＧ２（Ｍｏｖｉｎｇ　Ｐｉｃｔｕｒｅ　Ｅｘｐｅｒｔ　Ｇｒｏｕｐ　２）方式に準拠したトランスポートストリーム信号を映像や音声やＥＰＧデータの各パケット信号に分離する分離回路２０２と、映像のパケット信号をデコードしビデオ信号に変換するビデオデコーダ２０３と、放送局側が行った高域側を増強した補正を元に戻し電力拡散信号を除去するビデオ・ディエンファシス回路２０４と、音声のパケット信号をデコードしてオーディオ信号に変換するオーディオＰＣＭデコーダ２０５と、放送局側の行った補正を元に戻して最終的な音声信号を作成するオーディオ・ディエンファシス回路２０６と、ＥＰＧデータのパケット信号からＥＰＧデータを抽出するＥＰＧデータ抽出回路２０７とから構成されている。なお、同じ信号や構成要素については、以降、図面が異なっても同じ名称で示している。
【００３１】
次に、番組選択処理部１０５のハードウェア構成の一例を図３に示す。
【００３２】
図３において、番組選択処理部１０５は第１パラレル入出力制御部（以下第１ＰＩＯと記す。）３０１と、第２パラレル入出力制御部（以下第２ＰＩＯと記す。）３０２と、ＲＡＭ３０４と、ＤＭＡコントローラ３０３と、ＲＯＭ３０５と、シリアル変換部（以下ＳＣＯと記す。）３０６とを有しており、これらはバス接続されＣＰＵ３０７でコントロールされている。
【００３３】
ここで第１ＰＩＯ３０１はチューナー１０２からのテレビジョン放送信号ＳＩＧ６やＥＰＧ記憶装置１０４からのＥＰＧデータＳＩＧ１１を入力したり、蓄積番組データベース１０７との間で蓄積番組情報ＳＩＧ１０を入出力したり、復号化・分離部１０３へ映像・音声信号ＳＩＧ２を出力したりして、これらとバスデータラインとを接続している。
【００３４】
第２ＰＩＯ３０２は番組記憶装置１０６との間で番組コンテンツを入出力し、バスデータラインとを接続している。
【００３５】
ＲＡＭ３０４は読み込んだ番組コンテンツを一時的に記憶したり、番組検索機能を行うときのワークエリアとして使用する。
【００３６】
ＤＭＡコントローラ３０３は第１ＰＩＯ３０１や第２ＰＩＯ３０２とＲＡＭ３０４との間のデータ転送を高速に行う。
【００３７】
ＲＯＭ３０５には番組検索機能や、要求に応じて番組を記憶装置に書き込んだり読み出したりする処理プログラムが書き込まれている。
【００３８】
ＳＣＯ３０６は操作パネル１０８からの指示信号ＳＩＧ９をバスデータラインへ入力したり、チャンネル指定の信号ＳＩＧ８を出力している。
【００３９】
以上のハードウェア構成により図４に示すような機能ブロックが構成されている。
【００４０】
図４において、番組蓄積制御部４０１は番組記憶装置１０６への書き込みと読み出しを番組検索部４０２の指示により行うものであり、この番組蓄積制御部４０１と番組記憶装置１０６とで番組記録手段を構成している。
【００４１】
番組条件作成部４０３は操作パネル１０８からの要求ＳＩＧ９を一覧に作成するものであり、番組検索部４０２はこの要求一覧に適合する番組をＥＰＧデータや蓄積した番組リストから検索するものである。この番組検索部４０２が番組検索手段に相当している。
【００４２】
タイマー部４０４は現在時刻を算出し番組検索部４０２に通知する。
【００４３】
以上のように構成された選局装置１００は、視聴者が操作パネル１０８から直接指定したチャンネルを選局する機能の他に、予め指定された条件に適合する番組を蓄積する機能と、視聴者が今現在視聴したい番組をＥＰＧデータと蓄積番組データベース１０７とから検索しディスプレイ装置１１１等へ出力する機能とを有している。これらの動作について以下に説明する。
【００４４】
図５はこの番組を蓄積する処理を示す流れ図である。
【００４５】
最初に、番組条件作成部４０３は視聴者から蓄積条件が操作パネル１０８から要求されているか否かをチェックする（ステップＳ５０１）。
【００４６】
要求がない場合は次のステップＳ５０３へ進み、要求がある場合はリクエスト一覧を作成しＲＡＭ３０４に記憶するとともに番組検索部４０２に要求を伝える（ステップＳ５０２）。
【００４７】
ここでリクエスト一覧の作成方法を図６（Ａ）乃至図６（Ｃ）と図１０を用いて説明する。図６（Ａ）乃至図６（Ｃ）は蓄積条件の設定画面であり、図１０は操作パネルの外観図である。
【００４８】
視聴者は図１０の操作パネル上のメニューボタン１００１を押して、図６（Ａ）の蓄積番組設定画面を表示させ、設定条件としてジャンル６０１あるいはタイトル６０２を４方向ボタン１００２と決定ボタン１００３とを用いて指定する。
【００４９】
図６（Ｂ）はジャンルを指定した場合の画面であり、ＥＰＧデータで規定されているニュース、映画、スポーツなどのジャンルが選択可能になっている。ジャンルを指定すると、更にそのジャンルの中身を特定するキーワードが表示される。図６（Ｂ）では、ジャンルとして映画６０３が選択されたときのキーワードである邦画６０４と洋画６０５とが表示されている。
【００５０】
これらのジャンルやキーワードは、図８（Ａ）に示したようにＥＰＧデータにおいて規定されている。すなわち、図８（Ａ）において、１スポーツ、２映画、３音楽、４ニュースがジャンルであり、１００野球、１０１サッカーなどがそのジャンルの中身を特定するキーワードである。
【００５１】
また、図６（Ａ）でタイトルが指定された場合、図６（Ｃ）の画面が表示され、操作パネルの数字キー１００５に割り当てられている図示されていないカナ文字や英数字入力からタイトル名を４方向ボタン１７０２と決定ボタン１７０３とを用いて設定する。あるいは５０音かな入力や英数字入力画面から設定することもできる。
【００５２】
このようにしてリクエスト一覧が蓄積条件として図８（Ｂ）に示すデータ構造で設定される。
【００５３】
次に、番組検索部４０２は番組条件作成部４０３からの通知を受けて、ＥＰＧ記憶装置１０４から最新のＥＰＧデータを読み込み（ステップＳ５０３）、このＥＰＧデータから蓄積条件に適合する番組を検索する（ステップＳ５０４）。蓄積条件に適合する番組がない場合はステップＳ５０１へ戻り（ステップＳ５０５）、番組がある場合はＲＡＭ３０４に記憶されている図８（Ｃ）に示すような録画予定番組リストに追加、更新する（ステップＳ５０６）。
【００５４】
次に、番組検索部４０２は現在時刻をタイマー部４０４から求め（ステップＳ５０７）、録画予定番組リストに現在時刻に録画すべき番組があるか否かをチェックする（ステップＳ５０８）。
【００５５】
録画すべき番組がない場合はステップＳ５０１へ戻り、ある場合は番組蓄積制御部４０１にその番組の蓄積を指示する。
【００５６】
番組蓄積制御部４０１はその指示によりチューナー１０２からの番組を番組記憶装置１０６に記憶する（ステップＳ５０９）。このとき、番組蓄積制御部４０１は番組の内容に従って番組記憶装置１０６の更新領域１１３に蓄積するか、追記領域１１４に蓄積するかを決定する。例えば、番組のジャンルがニュースであった場合は更新領域１１３にある同一のキーワードを有する既存の番組に上書き記録し、それ以外のジャンルの番組であった場合は追記領域１１４に蓄積する。これはニュースのように時間の経過と共に情報の鮮度が劣化し、情報の価値が低下する番組をより新鮮な情報を有した番組が蓄積されるにもかかわらずそのまま残しておく必要性が低いからである。
【００５７】
これにより、番組記憶装置１０６の記憶容量を圧迫すること無しにニュースジャンルの番組を蓄積しつづけることが可能になる。この他に、同一ジャンルの同一タイトルを有する番組がある場合は、その番組に上書き記録することも可能である。これによっても同様の効果が得られる。
【００５８】
また、追記領域１１４は番組の蓄積に伴って記憶領域が減少するため、所定の残記憶容量に達した場合、警告表示を視聴者に行うかあるいは、蓄積時期の古い番組から順次自動的に削除される。これ以外に、新しい番組を最も以前に記録した番組に上書き記録することも可能である。また更に、番組の蓄積時に期間指定手段に相当する操作パネル１０８から蓄積期間を設定し、番組情報の一部として記憶させておき、この蓄積期間が経過した時点で番組蓄積制御部４０１がその番組を自動的に削除することも可能である。
【００５９】
次に、番組検索部４０２は蓄積指示した番組情報を図８（Ｄ）に示すデータ構造で蓄積番組データベース１０７に追加する（ステップＳ５１０）。この番組情報はＥＰＧデータから得られたものである。
【００６０】
以上の番組蓄積処理により選局装置１００は番組を蓄積することができる。
【００６１】
次に今現在視聴したい番組を選択する処理を図７の流れ図を用いて説明する。
【００６２】
最初に、番組蓄積処理と同様に、番組条件作成部４０３は視聴者が現時点で視聴条件が操作パネル１０８から要求されているか否かをチェックする（ステップＳ７０１）。この視聴条件は図６（Ｄ）の視聴番組設定画面をメニューボタン１００１により表示し、ジャンルやタイトルを蓄積条件の設定と同様に設定する。この処理により、蓄積条件と同様のデータ構造（図８（Ｂ））をもつ視聴条件がＲＡＭ３０４に設定される。
【００６３】
この要求がない場合はステップＳ７０１へ戻り、要求がある場合は番組検索部４０２に要求を伝える。
【００６４】
番組検索部４０２はこの要求を受け、ＥＰＧ記憶装置１０４から最新のＥＰＧデータを読み込み（ステップＳ７０２）、ステップＳ７０１で受け取った視聴条件をＥＰＧデータから検索する（ステップＳ７０３）。
【００６５】
ここで視聴条件として、ジャンルが「ニュース」であり、キーワードが「天気・交通」とされた場合、番組検索部４０２はＥＰＧデータから現在放送中の、ジャンルが「ニュース」でかつ、キーワードが「天気・交通」の番組を抽出する。この抽出した番組情報は図８（Ｃ）と同じデータ構造でＲＡＭ３０４に記憶される。そして、番組検索部４０２は複数の番組が抽出された場合、例えばチャンネル番号の小さいチャンネルを選択する。この条件はあらかじめチャンネルの優先順位として設定しておくことができる。
【００６６】
番組検索部４０２は適合番組の有無をチェックし（ステップＳ７０４）、適合番組があった場合は抽出した番組のチャンネルをチューナー１０２に指示する（ステップＳ７０５）。この指示によりチューナー１０２が選局し視聴者に要望の番組を出力する。この出力方法としては、指定されたジャンルにより、いきなりディスプレイ装置１１１に番組を表示する場合と、図９に示すような要望に適合する番組一覧を表示し、視聴者がその中から選択する場合とに切り換えることができる。図９はジャンルが映画でキーワードが洋画を設定した場合の番組一覧画面の例である。いきなりディスプレイ１１１に表示するジャンルとしてはニュースが好ましい。これはニュース番組が視聴者による放送局に対する嗜好の差がつきにくいジャンルだからである。
【００６７】
このようにいきなり番組を表示させた場合において、視聴者が図１０に示す次候補ボタン１５０４を入力したときは、番組検索部４０２が次に優先順位の高いチャンネルをチューナーに通知するか、あるいは上記の番組一覧を作成しディスプレイ装置１１１に出力する。また、いきなり番組を表示させた場合において、番組表示と検索された優先順位の高い番組一覧を重ねて表示させ、視聴者に選択させるか、あるいは次候補選択ボタン１５０４の入力が一定時間なかった場合は表示されている番組を選択したものとして番組一覧を消去するようにしても良い。
【００６８】
一方、適合番組がなかった場合、番組検索部４０２はＲＡＭ３０４に記憶されている図８（Ｄ）に示した番組情報を蓄積番組データベース１０７から読み込み（ステップＳ７０６）、適合番組の検索を行う（ステップＳ７０７）。
【００６９】
次に、適合番組があるか否かをチェックし（ステップＳ７０８）、ある場合は適合番組を番組記憶装置１０６から選択する（ステップＳ７０９）。この場合も適合番組が複数であればあらかじめ定めた優先順位、例えば蓄積された日時の最新のものから選択したり、チャンネル番号の小さいチャンネルから選択したりすることができる。
【００７０】
一方、蓄積番組にも適合する番組が無い場合は、適合番組がないことを画面表示すると共に、あらかじめ設定されているデフォルト局を選択する（ステップＳ７１０）。
【００７１】
以上のように、本実施の形態においては番組検索部４０２が指定した条件に適合する番組をＥＰＧデータから検索し、その検索した番組を番組蓄積制御部４０１が番組記憶装置１０６に蓄積する。そして、視聴者が現時点で視聴したい視聴条件を番組検索部４０２に指示した場合、その視聴条件に適合する番組が放送されているときはそのチャンネルを選局し、放送されていないときは番組記憶装置１０６に記録された番組から選択する。
【００７２】
これによって、選局装置は視聴者から入力された視聴条件に基づいて、過去から現在に至る番組の中から視聴者が最も視聴したい番組を選択することができる。
【００７３】
また、本実施の形態の番組記憶装置１０６を更新領域と追記領域とからなる構成にし、特定のジャンルや特定のタイトルをもつ最新の番組を更新領域の同一ジャンルあるいは同一タイトルの以前の番組に上書きを行っている。
【００７４】
これによって、選局装置は特定のジャンルや特定のタイトルをもつ番組が更新されていくので、番組記憶装置１０６の記憶領域が消費し続けることを避けることができ、効率的に番組を蓄積することが可能になる。
【００７５】
また、本実施の形態の番組記憶装置１０６の未記録領域がなくなった場合には、最新の番組を追記領域の最も以前に記録された番組に上書きを行っている。
【００７６】
これによって、選局装置は常に最新の番組を蓄積し続けることができる。
【００７７】
なお、本選局装置はテレビ受信システムに適用した例で説明したが、ＨＤＤビデオレコーダ、ＤＶＤビデオレコーダ及びＳＴＢ等に適応可能である。
【００７８】
（実施の形態２）
図１１は本発明の第２の実施の形態による選局装置１００を備えるテレビ受信システムの構成を示すブロック図である。
【００７９】
図１に示した第１の実施の形態のブロック図とは視聴者の嗜好情報を蓄積した嗜好情報データベース１１０１が追加されている点が異なる。
【００８０】
また、図１２は本発明の第２の実施の形態による番組選択処理部１０５の機能構成を示すブロック図である。
【００８１】
図４に示した第１の実施の形態のブロック図とは嗜好情報蓄積部１２０１と番組確認タイマー部１２０２とが追加されている点が異なる。この嗜好情報蓄積部１２０１は操作パネル１０８と番組検索部４０２とからの情報を嗜好情報データベース１１０１に蓄積するものであり、嗜好蓄積手段は嗜好情報蓄積部１２０１と嗜好情報データベース１１０１とから構成されている。
【００８２】
番組確定タイマー部１２０２は視聴者が番組を視聴したいと判定するのに要する時間をカウントし、この所定の時間が経過した場合嗜好情報蓄積部１２０１に通知する。
【００８３】
以上のように構成された選局装置１００について、以下にその動作、作用を説明する。
【００８４】
本実施の形態の選局装置１００は第１の実施の形態と同様に視聴者が操作パネル１０８から直接指定したチャンネルを選局する機能と、番組を蓄積する機能と、視聴者が今現在視聴したい番組をＥＰＧデータと蓄積番組データベース１０７とから検索しディスプレイ装置１１１等へ出力する機能とを有している。
【００８５】
このうち、番組を蓄積する機能については第１の実施の形態と同じである。
【００８６】
一方、視聴条件に基づいて番組を選択する機能については、選局装置１００が視聴者による操作パネル１０８からのチャンネル指定や、視聴条件に基づいて検索した番組を出力した後の視聴者による操作パネル１０８からの指示を、視聴者の嗜好情報として嗜好情報データベース１１０１に蓄積する。そして、番組検索部４０２がこれを基に視聴条件で検索された複数の番組から最初に出力する番組を選択する優先順位を決定する。本実施の形態の選択装置１００はこの機能を更に有している。
【００８７】
この嗜好情報の蓄積とそれに基づく番組選択の優先順位の決定方法について図１３を用いて説明する。
【００８８】
初めに、番組条件作成部４０３は操作パネル１０８からのチャンネル入力の有無をチェックする（ステップＳ１３０１）。
【００８９】
チャンネル入力がある場合、番組条件作成部４０３は入力チャンネルを番組検索部４０２へ通知するとともに、番組確定タイマー部１２０２にカウントの開始を指示する。
【００９０】
番組検索部４０２は通知されたチャンネルをそのままチューナー１０２へ通知し番組を復号化・分離部１０３を介してディスプレイ装置１１１へ出力する（ステップＳ１３０２）。
【００９１】
番組確定タイマー部１２０２は番組条件作成部４０３からの指示を受けてカウントを開始する（ステップＳ１３０３）。その後、ステップＳ１３０１へ戻る。
【００９２】
一方、チャンネル入力がない場合、ニュースボタン１００６乃至情報ワイドボタン１０１１（以下、これらを総称してジャンルボタン１０１２という。）が入力されたか否かをチェックする（ステップＳ１３０４）。このジャンルボタン１０１２はニュース乃至情報ワイドのジャンルを視聴条件として設定するものであり選択ボタンに相当する。
【００９３】
ジャンルボタン１０１２が入力された場合、番組条件作成部４０３は番組検索部４０２に通知するとともに番組確定タイマー部１２０２にカウントの開始を指示する。
【００９４】
番組検索部４０２は通知を受けると、第１の実施の形態で示した図７と同じ処理により適合番組を検索する。この視聴条件に適合する番組が複数ある場合、番組検索部４０２は後述する嗜好情報データベース１１０１から視聴条件であるジャンルの中で、視聴回数の高いキーワードの順序で番組に優先順位を付ける。そして最も優先順位の高い番組を出力する（ステップＳ１３０５）。図１４は後述する嗜好情報データベース１１０１の例である。この図１４においてニュースボタン１５０５が入力された場合は、キーワードが、「全国」、「天気・交通」、「海外」、「ローカル」の順番で視聴回数が高いので、番組検索部４０２は検索した番組にこのキーワードの順番で優先順位を付ける。
【００９５】
また、番組確定タイマー部１２０２は指示を受けてタイマーのカウントを開始する（ステップＳ１３０３）。
【００９６】
一方、ジャンルボタン１０１２が入力されなかった場合、番組条件作成部４０３は次候補ボタン１００４が入力されたか否かをチェックする（ステップＳ１３０６）。
【００９７】
次候補ボタン１００４が入力された場合、番組条件作成部４０３は番組検索部４０２に通知するとともに番組確定タイマー部１２０２にカウントの開始を指示する。
【００９８】
番組検索部４０２は通知を受けると、現在出力している番組の次に優先順位の高い番組を選択し出力する（ステップＳ１３０７）。
【００９９】
また、番組確定タイマー部１２０２は指示を受けてタイマーのカウントを開始する（ステップＳ１３０３）。
【０１００】
次候補ボタン１００４が入力されなかった場合、番組確定タイマー部１２０２は同一番組の視聴が連続して所定時間、例えば５分間経過したか否かをチェックし（ステップＳ１３０８）、所定時間経過していなければステップＳ１３０１へ戻る。経過していれば番組確定タイマー部１２０２は嗜好情報蓄積部１２０１へ番組の確定を通知する。
【０１０１】
嗜好情報蓄積部１２０１はこれを受けて、図１４に示すようなジャンルとキーワード毎に管理している視聴回数のデータベースである嗜好情報データベース１１０１において、その番組と同一ジャンル、同一キーワードの番組の視聴回数をカウントアップする（ステップＳ１３０９）。番組確定タイマー部１２０１は例えば、現在野球番組の視聴が確定したときジャンルがスポーツで、キーワードが野球の視聴回数１４０１をカウントアップする。その後、ステップＳ１３０１へ戻る。
【０１０２】
なお、本実施の形態では視聴条件の設定に操作パネル１０８のジャンルボタン１０１２を使用したが、これに限らず例えば、図６（Ｄ）に示す視聴番組設定画面により図６（Ａ）の蓄積番組設定画面と同様にしてジャンルやキーワード、あるいは番組のタイトルを視聴条件として設定することも可能である。
【０１０３】
以上のように本実施の形態においては、視聴者が選局以外のチャンネルを選局する操作パネル１０８と、この操作パネル１０８により選択されたか否かの嗜好情報を番組と関連づけて嗜好情報データベース１１０１に蓄積する嗜好情報蓄積部１２０１とを有し、番組検索部４０２が蓄積した嗜好情報を基に選局の優先順位を決定している。
【０１０４】
これによって、選局装置１００は視聴者の嗜好情報を視聴者が意識することなしに取得し、その取得した嗜好情報に基づいて最も視聴者が視聴したい番組を自動的に選択することができる。この嗜好情報の蓄積は継続的に行われるため、視聴者が視聴したい番組を選択する精度は時間経過と共に増していくことになる。
【０１０５】
また、視聴条件の設定はジャンル毎に設けられたジャンルボタンにより設定しているため、視聴者は簡単な操作で視聴したい番組の条件を指定することができる。
【０１０６】
（実施の形態３）
図１５は本発明の第３の実施の形態による選局装置１００を備えるテレビ受信システムのブロック図である。図１１に示した第２の実施の形態のブロック図とは視聴者の音声を入力するマイクロフォン１５０１と、視聴者毎に音声の特徴量があらかじめ記録されている標準モデル辞書１５０２と、音声認識処理部１５０３とが追加されている点が異なる。
【０１０７】
また、図１６は本実施の形態による番組選択処理部１０５と音声認識処理部１５０３とを形成するハードウェア構成の一例を示す。図３に示した第１の実施の形態のハードウェア構成とは、Ａ／Ｄ変換器１６０１が追加されている点が異なる。このＡ／Ｄ変換器１６０１はマイクロフォン１５０１からのアナログ音声信号をデジタル信号に変換するものである。
【０１０８】
また、図１７はこの番組選択処理部１０５と音声認識処理部１５０３との機能構成を示すブロック図である。図１２に示した第２の実施の形態のブロック図とは、音声認識処理部１５０３を構成する特徴量抽出部１７０１と、類似度算出部１７０２と、判定処理部１７０３とが追加されている点が異なる。
【０１０９】
以上のように構成された選局装置１００においては、第２の実施の形態のように視聴者が操作パネル１０８からチャンネルを選局したり視聴条件を指示するばかりではなく、マイクロフォン１５０１から指示を入力する。以下にその動作、作用を説明する。
【０１１０】
初めに、マイクロフォン１５０１から取り込まれた音声が特徴量抽出部１７０１に入力される。ここで１０ｍｓ程度の周期でフレーム分析され、音声認識で使用される特徴量、たとえばケプストラム係数が抽出される。この抽出は対数的な変換処理により対数スペクトルを求めておいてから、逆フーリエ変換や逆コサイン変換をすることにより算出できる。そして、あらかじめ標準モデル辞書１５０２に登録されている複数の単語の特徴量との類似度が判定処理部１７０３で算出される。その類似度が所定の閾値よりも大きいか否かを判定処理部１７０３で判定し、大きければその単語を認識結果として番組条件作成部４０３に出力する。この標準モデル辞書中の単語の特徴量は視聴者毎にあらかじめ登録することにより、その類似度から単語を認識すると同時に視聴者をも特定することができる。
【０１１１】
なお、標準モデルとしては、複数の認識対象語彙毎の特徴量の時系列を確率的な遷移として表現する隠れマルコフモデル（ＨＭＭ）がある。
【０１１２】
番組条件作成部４０３に入力された指示ＳＩＧ１４から求める嗜好情報の蓄積処理は図１３に示したものと同じであるが、本実施の形態では求めた嗜好情報を視聴者毎に蓄積し、また番組検索部４０２が視聴条件により番組を検索する場合においても視聴者毎に蓄積された嗜好情報データベース１１０１から優先順位を決定する点が異なっている。
【０１１３】
以上のように本実施の形態においては、音声認識処理部１５０３が音声を認識して視聴条件の指示及びチャンネルの選択を行い、そして嗜好情報蓄積部１２０１が特定された視聴者毎に嗜好情報の蓄積を嗜好情報データベース１１０１に蓄積する。そして更に、番組検索部４０２が視聴者毎の嗜好情報に基づいて番組検索を行っている。
【０１１４】
これによって、選局装置１００は音声による指示を認識することができると共に、視聴者毎の嗜好に適合した番組を選択することができる。
【０１１５】
なお、選局装置１００は標準モデル辞書１５０２に音声の特徴量を視聴者が登録する機能を有している。すなわち、所定の単語、例えば「ジャンル」、「選択」などをあらかじめ決めておき、視聴者毎にそれらの単語を発声させて登録を行う。これにより、視聴条件を設定するときに「ジャンル」と発声した時点で視聴者が特定でき、以降この視聴者の標準モデル辞書を用いて設定完了までの音声認識を行う。
【０１１６】
これにより、不特定視聴者の音声認識が可能になる。
【０１１７】
【発明の効果】
以上のように本発明によれば、選局装置は蓄積条件に基づいて選択した番組を効率よく蓄積し、かつ視聴条件に基づいて現在放送中あるいは過去に蓄積した番組の中から最適な番組を選択することができる。また、テレビ受信システムはその選択された最適な番組を提示することができる。
【図面の簡単な説明】
【図１】本発明の第１の実施の形態による選局装置を備えるテレビ受信システムの構成を示すブロック図
【図２】本発明の第１の実施の形態における復号化・分離部のハードウェア構成を示すブロック図
【図３】本発明の第１の実施の形態における番組選択処理部のハードウェア構成を示すブロック図
【図４】本発明の第１の実施の形態における番組選択処理部の機能構成を示すブロック図
【図５】本発明の第１の実施の形態における選局装置による番組を蓄積する処理を示す流れ図
【図６】（Ａ）本発明の第１の実施の形態における選局装置の蓄積番組設定画面図
（Ｂ）本発明の第１の実施の形態における選局装置のジャンル、キーワード設定画面図
（Ｃ）本発明の第１の実施の形態における選局装置のタイトル設定画面図
（Ｄ）本発明の第１の実施の形態における選局装置の視聴番組設定画面図
【図７】本発明の第１の実施の形態における選局装置による視聴番組を選択する処理を示す流れ図
【図８】（Ａ）ＥＰＧデータのジャンル、キーワード情報を示す規定一覧図
（Ｂ）本発明の第１の実施の形態におけるリクエスト一覧を示すデータ構造図
（Ｃ）本発明の第１の実施の形態における録画予定番組リストを示すデータ構造図
（Ｄ）本発明の第１の実施の形態における蓄積指示した番組情報を示すデータ構造図
【図９】本発明の第１の実施の形態における選局装置の番組一覧画面図
【図１０】本発明の第１の実施の形態における選局装置の操作パネルを示す外観図
【図１１】本発明の第２の実施の形態による選局装置を備えるテレビ受信システムの構成を示すブロック図
【図１２】本発明の第２の実施の形態における番組選択処理部の機能構成を示すブロック図
【図１３】本発明の第２の実施の形態における嗜好情報の蓄積と番組選択の優先順位の決定処理を示す流れ図
【図１４】本発明の第２の実施の形態における嗜好度合を示す嗜好情報データベース図
【図１５】本発明の第３の実施の形態による選局装置を備えるテレビ受信システムの構成を示すブロック図
【図１６】本発明の第３の実施の形態における番組選択処理部のハードウェア構成を示すブロック図
【図１７】本発明の第３の実施の形態における番組選択処理部の機能構成を示すブロック図
【図１８】従来の情報提供装置のシステム構成を示すブロック図
【符号の説明】
１００　選局装置
１０１　周波数ダウンコンバータ
１０２　チューナー
１０３　復号化・分離部
１０４　ＥＰＧ記憶装置
１０５　番組蓄積制御部
１０６　番組記憶装置
１０７　蓄積番組データベース
１０８　操作パネル
１１０　アンテナ
１１１　ディスプレイ装置
１１２　スピーカー
１１３　更新領域
１１４　追記領域
２０１　復号化・誤り訂正回路
２０２　分離回路
２０３　ビデオデコーダ
２０４　ビデオ・ディエンファシス回路
２０５　オーディオＰＣＭデコーダ
２０６　オーディオ・ディエンファシス回路
２０７　ＥＰＧデータ抽出回路
３０１　第１ＰＩＯ
３０２　第２ＰＩＯ
３０３　ＤＭＡコントローラ
３０４　ＲＡＭ
３０５　ＲＯＭ
３０６　ＳＣＯ
３０７　ＣＰＵ
４０１　番組蓄積制御部
４０２　番組検索部
４０３　番組条件作成部
４０４　タイマー部
１１０１　嗜好情報データベース
１２０１　嗜好情報蓄積部
１２０２　番組確定タイマー部
１５０１　マイクロフォン
１５０２　標準モデル辞書
１５０３　音声認識処理部
１６０１　Ａ／Ｄ変換部
１７０１　特徴量抽出部
１７０２　類似度算出部
１７０３　判定処理部
１８０１　データ通信網
１８０２　通信手段
１８０３　通信系制御手段
１８０４　ハードディスク
１８０５　ＤＶＤ−ＲＡＭ
１８０６　蓄積手段
１８０７　蓄積系制御手段
１８０８　情報入手制御手段
１８０９　放送系制御手段
１８１０　放送受信手段
１８１１　アンテナ
１８１２　情報提示手段
【図１】
2004096530.tif 000003
【図２】
2004096530.tif 000004
【図３】
2004096530.tif 000005
【図４】
2004096530.tif 000006
【図５】
2004096530.tif 000007
【図６】
2004096530.tif 000008
【図７】
2004096530.tif 000009
【図８】
2004096530.tif 000010
【図９】
2004096530.tif 000011
【図１０】
2004096530.tif 000012
【図１１】
2004096530.tif 000013
【図１２】
2004096530.tif 000014
【図１３】
2004096530.tif 000015
【図１４】
2004096530.tif 000016
【図１５】
2004096530.tif 000017
【図１６】
2004096530.tif 000018
【図１７】
2004096530.tif 000019
【図１８】
2004096530.tif 000020